(57)【要約】【課題】加熱ゾーン内の温度を均一にするとともに、目標温度が異なる他の加熱ゾーンとの温度差を十分に確保することができるセラミックヒータを提供すること。【解決手段】セラミックヒータ５は、発熱層１３と裏面との間に、セラミック材料より高い熱伝導率を有する（即ち熱が伝わり易い）熱分散層１５が発熱層１３毎に配置されているので、各発熱層１３が配置された各加熱ゾーンＫＺにおける温度を容易に均一化できる。しかも、各熱分散層１５は、発熱層１３の発熱パターン４７毎に配置されているので、目標温度が異なる他の加熱ゾーンＫＺとの温度差を十分に確保することができる。即ち、各加熱ゾーンＫＺ間の温度を分離することができる。【選択図】図５
2018142488.tif 000002
【特許請求の範囲】
【請求項１】
表面及び裏面を有するセラミック基板の内部に、通電により発熱する発熱層が、平面方向に沿って複数配置されているセラミックヒータにおいて、
前記セラミック基板の内部には、前記発熱層と前記裏面との間に、前記セラミック基板を構成するセラミック材料より高い熱伝導率を有する熱分散層が前記発熱層毎に配置されており、
前記セラミック基板を厚み方向から見た平面視で、
前記発熱層は、線状の発熱パターンを有するとともに、該発熱パターンは屈曲する部分を有していることを特徴とするセラミックヒータ。
【請求項２】
前記平面視で、前記各発熱層において、前記発熱パターンのうち隣り合って配置されている線状の発熱パターンの間の領域にも、前記熱分散層が配置されていることを特徴とする請求項１に記載のセラミックヒータ。
【請求項３】
前記発熱層と前記熱分散層との間の第１距離は、前記熱分散層と前記裏面との間の第２距離よりも短いことを特徴とする請求項１又は２に記載のセラミックヒータ。
【請求項４】
前記熱分散層は、平面視で、導電性を有するパッド部と、該パッド部より面積が広く且つ該パッド部との間に間隔をあけ、該パッド部の全周を囲む導電性を有する主熱分散部とを備えており、
前記パッド部と前記発熱層とを電気的に接続する第１ビアと、前記発熱層と前記主熱分散部とを電気的に接続する第２ビアと、を備え、
前記発熱層に給電するための一対の端子部が、それぞれ前記パッド部及び前記主熱分散部と電気的に接続されていることを特徴とする請求項１〜３のいずれか１項に記載のセラミックヒータ。
【請求項５】
前記熱分散層は、平面視で、導電性を有する一対のパッド部と、該パッド部より面積が広く且つ該パッド部との間に間隔をあけ、該パッド部の全周を囲む導電性を有する主熱分散部と、を備えており、
前記発熱層は前記一対のパッド部と電気的に接続されており、  
前記発熱層に給電するための一対の端子部が、それぞれ前記一対のパッド部に電気的に接続される請求項１〜３のいずれか１項に記載のセラミックヒータ。
【発明の詳細な説明】
【技術分野】
【０００１】
本発明は、例えば、例えば半導体ウェハ等の被加工物を加熱できるセラミックヒータに関するものである。
【背景技術】
【０００２】
従来、半導体製造装置では、半導体ウェハ（例えばシリコンウェハ）に対して、ドライエッチング（例えばプラズマエッチング）等の処理が行われている。このドライエッチングの精度を高めるためには、半導体ウェハを確実に固定しておく必要があるので、半導体ウェハを固定する固定手段として、静電引力によって半導体ウェハを固定する静電チャックが用いられている。
【０００３】
この静電チャックには、吸着面に吸着された半導体ウェハの温度を調節する機能を有するものがある。例えば、セラミック基板内に線状の発熱体を配置したセラミックヒータを用いて、吸着面上の半導体ウェハを加熱する技術がある。なお、静電チャックには、通常、セラミックヒータの吸着面（表面）と反対側の面（裏面）に、冷却用の金属ベースが接続されている。
【０００４】
さらに、静電チャックの加熱を精密に行うために、セラミック基板を平面視で複数の加熱ゾーン（即ち加熱領域：セグメント）に区分したセラミックヒータも開発されている。具体的には、各加熱ゾーン毎に各加熱ゾーンを個別に加熱できる発熱体を配置して、セラミック基板の温度調節機能を向上させた多ゾーンヒータ付きセラミックヒータも提案されている（特許文献１参照）。
【０００５】
また、近年では、より精度の高い温度制御のために、更なる多ゾーン化（マルチゾーン化）の要求が高くなっており、例えば１００以上の加熱ゾーンも検討されている。
【先行技術文献】
【特許文献】
【０００６】
【特許文献１】特開２００５−１６６３５４号公報
【特許文献２】特開２００８−１６６５０９号公報
【発明の概要】
【発明が解決しようとする課題】
【０００７】
ところで、セラミック基板の温度調整機能（即ち温度制御性）を向上させるためには、目的の温度に制御する箇所（即ち各加熱ゾーン）毎に精度良く温度調節を行うことが望ましいが、上述のように、加熱ゾーンが多い場合には、温度制御性を向上させることが容易ではないという問題があった。
【０００８】
つまり、図２２に示すように、発熱体が配置された各加熱ゾーン（セグメント）毎に、目的の温度（即ち目標温度）に制御する場合には、それぞれ目標温度に制御するだけでなく、各加熱ゾーン内における温度を均一化することが望まれるが、その対策は容易ではない。
【０００９】
詳しくは、例えば図２２（ｂ）に示すように、加熱ゾーン間（特にその境界近傍）で明瞭な温度差があるように制御することが望ましいが（実線で示す温度カーブ参照）、実際には、加熱ゾーン間（特にその境界近傍）で明瞭な温度差をつけにくい（破線で示す温度カーブ参照）という問題があった。
【００１０】
また、これとは別に、例えば前記特許文献２には、発熱体と金属ベースとの間に熱伝導部材を配置して、セラミックヒータの平面方向における温度分布を均一化する技術が開示されているが、この技術では、各加熱ゾーン間に温度差をつけること（即ち温度をセパレートすること）はできない。
【００１１】
本発明は、前記課題に鑑みてなされたものであり、その目的は、加熱ゾーン内の温度を均一にするとともに、目標温度が異なる他の加熱ゾーンとの温度差を十分に確保することができるセラミックヒータを提供することにある。
【課題を解決するための手段】
【００１２】
（１）本発明の第１局面は、表面及び裏面を有するセラミック基板の内部に、通電により発熱する発熱層が、平面方向に沿って複数配置されているセラミックヒータに関するものである。
【００１３】
このセラミックヒータでは、セラミック基板の内部には、発熱層と裏面との間に、セラミック基板を構成するセラミック材料より高い熱伝導率を有する熱分散層が発熱層毎に配置されている。さらに、セラミック基板を厚み方向から見た平面視で、発熱層は、線状の発熱パターンを有するとともに、発熱パターンは屈曲する部分を有している。
【００１４】
このように、本第１局面では、発熱層と裏面との間に、セラミック材料より高い熱伝導率を有する（即ち熱が伝わり易い）熱分散層が発熱層毎に配置されているので、各発熱層が配置された各加熱ゾーンにおける温度を均一化することができる。
【００１５】
さらに、本第１局面では、熱分散層が、線状で屈曲する発熱パターンを有する発熱層毎に配置されているので、目標温度が異なる他の加熱ゾーンとの温度差を十分に確保することができる。即ち、各加熱ゾーン間の温度を分離する（即ちセパレート）することができる。
【００１６】
このように、本第１局面では、加熱ゾーン内の温度を均一化するとともに、他の加熱ゾーンとの温度差を十分に確保することができるという顕著な効果を奏する。
なお、発熱層と裏面との間に熱分散層を配置することにより、熱分散層を配線部（例えば一対の端子部から発熱層に到る電力の供給経路：例えば内部配線層）の一部として流用できる。そのため、セラミック基板の厚み方向において、例えば内部配線層と別に新たに熱分散層を配置するスペースを必要としないため、セラミック基板を厚くせずに熱分散層を配置できるという利点がある。
【００１７】
（２）本発明の第２局面では、平面視で、各発熱層において、発熱パターンのうち隣り合って配置されている線状の発熱パターンの間の領域にも、熱分散層が配置されている。
本第２局面では、同じ発熱層の発熱パターンにおいて、隣り合う発熱パターンの間に熱分散層が配置されているので、一層各加熱ゾーンにおける温度を均一化できる。
【００１８】
（３）本発明の第３局面では、発熱層と熱分散層との間の第１距離は、熱分散層と裏面との間の第２距離よりも短い。
本第３局面では、熱分散層は、裏面よりも発熱層に近い位置に配置されているので、一層容易に、各加熱ゾーンの均熱化ができるとともに、各加熱ゾーン間の温度を分離することができる。
【００１９】
（４）本発明の第４局面では、熱分散層は、平面視で、導電性を有するパッド部と、パッド部より面積が広く且つパッド部との間に間隔をあけ、パッド部の全周を囲む導電性を有する主熱分散部とを備えている。さらに、パッド部と発熱層とを電気的に接続する第１ビアと、発熱層と主熱分散部とを電気的に接続する第２ビアと、を備えている。しかも、発熱層に給電するための一対の端子部が、それぞれパッド部及び主熱分散部と電気的に接続されている。
【００２０】
本第４局面では、一対の端子部から、第１ビア及びパッド部と、第２ビア及び主熱分散部とを介して、発熱層（詳しくは発熱パターン）に電力を供給することによって、加熱ゾーンを加熱することができる。
【００２１】
また、一対の端子部から発熱層に到る電力の供給経路を短くすることができるので、電極の供給経路の構成を簡易化できる。
さらに、パッド部を囲むように、面積の大きな主熱分散部が配置されているので、加熱ゾーンにおける均熱性を高めることができる。
【００２２】
（５）本発明の第５局面では、熱分散層は、平面視で、導電性を有する一対のパッド部と、パッド部より面積が広く且つパッド部との間に間隔をあけ、パッド部の全周を囲む導電性を有する主熱分散部と、を備えている。さらに、発熱層は一対のパッド部と電気的に接続されており、発熱層に給電するための一対の端子部が、それぞれ一対のパッド部に電気的に接続されている。
【００２３】
本第５局面では、一対の端子部から、一対のパッド部を介して、発熱層（詳しくは発熱パターン）に電力を供給することによって、加熱ゾーンを加熱することができる。
また、一対の端子部から発熱層に到る電力の供給経路を短くすることができるので、電極の供給経路の構成を簡易化できる。
【００２４】
さらに、一対のパッド部を囲むように、面積の大きな主熱分散部が配置されているので、加熱ゾーンにおける均熱性を高めることができる。
＜以下に、本発明の各構成について説明する＞
・セラミックヒータの表面とは、加熱する対象である部材が配置される面（例えば静電チャックでは吸着面）であり、裏面とは、表面と反対側の面（例えば静電チャックでは金属ベースが接合される面）である。
【００２５】
・セラミック基板とは、セラミックを主成分（５０質量％以上）とする基板（板状の部材）である。このセラミックの材料としては、酸化アルミニウム（アルミナ）、窒化アルミニウム、酸化イットリウム（イットリア）等が挙げられる。
【００２６】
・発熱層（従って発熱パターン）とは、通電によって発熱する抵抗発熱体からなる層であり、この発熱層の材料としては、タングステン、タングステンカーバイド、モリブデン、モリブデンカーバイド、タンタル、白金等が挙げられる。
【００２７】
・平面方向とは、セラミック基板が広がる平面の方向である。つまり、セラミック基板の厚み方向と垂直な平面が広がる方向である。
・熱分散層の平面視の外周形状は、矩形状、円形形状など、発熱層の外周に沿った形状等である。例えば、平面視で、発熱層の発熱パターンの外周のうち、隣り合う発熱パターンの凸部同士を結んだ領域の内部が挙げられる。また、平面視で、発熱パターンの外周を紐で囲むようにした場合に形成される領域の内部が挙げられる。
【００２８】
・熱分散層の材料としては、例えばタングステン、モリブデン等からなる導電材料を採用できるが、これに限定される訳ではない。例えば、熱分散層を給電のために用いない場合には、導電材料とは異なる材料を採用できる。
【００２９】
つまり、熱分散層は、セラミック基板を構成するセラミック材料より高い熱伝導率を有するものであるので、セラミック材料に応じた各種の材料を用いることができる。例えばセラミック材料にもよるが、グラファイト、ＳｉＣ（炭化珪素）、ＡｌＮ（窒化アルミニウム）などを採用できる。
【００３０】
・端子部やビアやパッド部は、例えばタングステン、モリブデン等からなる導電部分である。
【図面の簡単な説明】
【００３１】
【図１】第１実施形態の静電チャックを一部破断して示す斜視図である。
【図２】第１実施形態の静電チャックを厚み方向に破断しその一部を模式的に示す断面図である。
【図３】セラミックヒータの複数の加熱ゾーン及び発熱層の配置を模式的に示す平面図である。
【図４】（ａ）は発熱パターンを示す平面図、（ｂ）は熱分散層を示す平面図、（ｃ）は発熱パターンと熱分散層とを重ねた状態を示す平面図である。
【図５】（ａ）はセラミック基板を厚み方向に（図４のＡ−Ａ断面にて）破断し模式的に示す説明図、（ｂ）はセラミック基板を厚み方向に（図４のＢ−Ｂ断面にて）破断し拡大して模式的に示す説明図である。
【図６】（ａ）は第２実施形態の発熱パターンと熱分散層とを重ねた状態を示す平面図、（ｂ）はその熱分散層を示す平面図、（ｃ）はセラミック基板を厚み方向に（図６（ａ）のＣ−Ｃ断面にて）破断し拡大して模式的に示す説明図である。
【図７】第２実施形態の発熱パターンと熱分散層とを重ねた状態を示す平面図である。
【図８】（ａ）は実験例１の基準モデルの発熱パターンを示す平面図、（ｂ）は実験例１の基準モデルの発熱状態（温度分布）を示す説明図である。
【図９】（ａ）は実験例１の本発明例Ａの発熱パターンと熱分散層とを重ねて示す平面図、（ｂ）は本発明例Ａの発熱状態を示す説明図、（ｃ）は比較例１の発熱パターンと熱分散層とを重ねて示す平面図、（ｄ）は比較例１の発熱状態を示す説明図、（ｅ）は比較例２の発熱パターンと熱分散層とを重ねて示す平面図、（ｆ）は比較例２の発熱状態を示す説明図である。
【図１０】実験例１の基準モデル、本発明例Ａ、比較例１、２の温度ｐｌｏｔ方向における温度を示すグラフである。
【図１１】（ａ）は実験例２の基準モデルの発熱パターンを示す平面図、（ｂ）は実験例１の基準モデルの発熱状態を示す説明図である。
【図１２】（ａ）は実験例２の本発明例Ａの発熱パターンと熱分散層とを重ねて示す平面図、（ｂ）は本発明例Ａの発熱状態を示す説明図、（ｃ）は比較例１の発熱パターンと熱分散層とを重ねて示す平面図、（ｄ）は比較例１の発熱状態を示す説明図、（ｅ）は比較例２の発熱パターンと熱分散層とを重ねて示す平面図である。
【図１３】実験例２の基準モデル、本発明例Ａ、比較例１の温度ｐｌｏｔ方向における温度を示すグラフである。
【図１４】（ａ）は実験例３の本発明例Ｂの厚み方向における発熱パターンと熱分散層との配置を示す断面図、（ｂ）は本発明例Ｂの均熱性を示す実験条件における発熱状態を示す説明図、（ｃ）は本発明例Ｂの熱の分離性を示す実験条件における発熱状態を示す説明図である。
【図１５】（ａ）は実験例３の本発明例Ｃの厚み方向における発熱パターンと熱分散層との配置を示す断面図、（ｂ）は本発明例Ｃの均熱性を示す実験条件における発熱状態を示す説明図、（ｃ）は本発明例Ｃの熱の分離性を示す実験条件における発熱状態を示す説明図である。
【図１６】（ａ）は実験例３の本発明例Ｂ、本発明例Ｃの均熱性を示す実験条件における温度ｐｌｏｔ方向における温度を示すグラフ、（ｂ）は実験例３の本発明例Ｂ、本発明例Ｃの熱の分離性を示す実験条件における温度ｐｌｏｔ方向における温度を示すグラフである。
【図１７】（ａ）は実験例４の本発明例Ｄの発熱パターンと熱分散層とを重ねて示す平面図、（ｂ）は本発明例Ｄの発熱状態を示す説明図である。
【図１８】（ａ）は実験例４の比較例３の発熱パターンと熱分散層とを重ねて示す平面図、（ｂ）は比較例３の発熱状態を示す説明図である。
【図１９】実験例４の本発明例Ａ、Ｄ、比較例３の温度ｐｌｏｔ方向における温度を示すグラフである。
【図２０】実験例１〜４の実験条件及び実験結果をまとめて示す説明図である。
【図２１】他の実施形態の発熱パターンと熱分散層とを重ねた状態を示す平面図である。
【図２２】従来技術の説明図である。
【発明を実施するための形態】
【００３２】
［１．第１実施形態］
ここでは、第１実施形態として、例えば半導体ウェハを吸着保持できる静電チャックに用いられるセラミックヒータを例に挙げる。
［１−１．全体構成］
まず、本第１実施形態の静電チャックの構造について説明する。
【００３３】
図１に示す様に、本第１実施形態における静電チャック１は、図１の上側にて被加工物である半導体ウェハ３を吸着する装置であり、セラミックヒータ５と金属ベース７とが積層されて接着剤層９により接合されたものである。
【００３４】
なお、セラミックヒータ５の図１の上方の面（上面：吸着面）が第１の主面Ｓ１（即ち表面）であり、下面が第２の主面Ｓ２（即ち裏面）である。また、金属ベース７の上面が第３の主面Ｓ３であり、下面が第４の主面Ｓ４である。
【００３５】
このうち、セラミックヒータ５は、円盤形状であり、吸着用電極（静電電極）１１、発熱層１３、熱分散層１５を備えたセラミック基板（絶縁基板）１７から構成されている。なお、吸着用電極１１、発熱層１３は、熱分散層１５は、セラミック基板１７に埋設されている。
【００３６】
金属ベース７は、セラミックヒータ５より大径の円盤形状であり、セラミックヒータ５と同軸に接合されている。この金属ベース７には、セラミック基板１７（従って半導体ウェハ３）を冷却するために、冷却用流体（冷媒）が流される流路（冷却路）１９が設けられている。なお、冷却用流体としては、例えばフッ化液又は純水等の冷却用液体などを用いることができる。
【００３７】
また、静電チャック１には、リフトピン（図示せず）が挿入されるリフトピン孔２１等が、静電チャック１を厚み方向に貫くように、複数箇所に設けられている。このリフトピン孔２１は、半導体ウェハ３を冷却するために第１の主面Ｓ１側に供給される冷却用ガスの流路（冷却用ガス孔）としても用いられる。
【００３８】
なお、リフトピン孔２１とは別に、冷却用ガス孔（図示せず）を設けてもよい。冷却用ガスとしては、例えばヘリウムガスや窒素ガス等の不活性ガスなどを用いることができる。
【００３９】
次に、静電チャック１の各構成について、図２に基づいて詳細に説明する。
＜セラミックヒータ＞
図２に模式的に示すように、セラミックヒータ５（従ってセラミック基板１７）は、その第２の主面Ｓ２側が、例えばシリコーンからなる接着剤層９により、金属ベース７の第３の主面Ｓ３側に接合されている。
【００４０】
このセラミック基板１７は、複数のセラミック層２３（図５（ａ）参照）が積層されたものであり、アルミナを主成分とするアルミナ質焼結体である。なお、アルミナ質焼結体は、絶縁体（誘電体）である。
【００４１】
セラミック基板１７の内部には、図２の上方より、後に詳述するように、吸着用電極１１、複数の発熱層１３、複数の熱分散層１５等が配置されている。なお、図２では、複数の発熱層１３等は模式的に表示してある。
【００４２】
このうち、複数の発熱層１３は第１平面ＨＭ１に配置され、複数の熱分散層１５は第２平面ＨＭ２に配置されている。なお、第１、第２平面ＨＭ１、ＨＭ２は、セラミック基板１７を厚み方向（図２の上下方向）にて所定距離だけ離れた異なる位置において、厚み方向と垂直に広がる平面（即ち平面方向に平行な平面）である。
【００４３】
また、後述するように、セラミック基板１７は、厚み方向から見た平面視で、複数の加熱ゾーンＫＺ（図３参照）に区分されており、各加熱ゾーンＫＺに、それぞれ発熱層１３及び熱分散層１５が配置されている。つまり、セラミック基板１７は、平面視で、複数の発熱層１３及び複数の熱分散層１５が配置された構成となっている。
【００４４】
そして、各発熱層１３は、それぞれ給電用端子２５に対して電気的に接続されている。詳しくは、各発熱層１３は、独自に温度制御が可能なように、各発熱層１３の両端（一対の端部１３ａ、１３ｂ）が、それぞれ配線部２７を介して、セラミック基板１７の一方の側（即ち第２の主面Ｓ２側）にて、各一対の給電用端子２５に電気的に接続されている。
【００４５】
この配線部２７は、発熱層１３に給電する構成として、後述するように、第１ビア２９、第２ビア３１、第３ビア３３、第４ビア３５、第５ビア３７、内部配線層３９、端子部（即ち端子パッド）４０を備えており、その端子部４０に給電用端子２５が接合されている。なお、配線部２７は、例えばタングステンからなる。
【００４６】
また、吸着用電極１１は、電圧を印加する周知の電極用端子（図示せず）に電気的に接続されている。
＜金属ベース＞
金属ベース７は、アルミニウム又はアルミニウム合金からなる金属製である。金属ベース７には、前記冷却路１９やリフトピン孔２１以外に、前記電極用端子、給電用端子２５が配置される貫通孔である貫通部４１がそれぞれ形成されている。
【００４７】
なお、静電チャック１の第４の主面Ｓ４側には、給電用端子２５を収容するために、第４の主面Ｓ４からセラミックヒータ５の内部に到るような内部孔４３が複数設けられており、金属ベース７の貫通部４１は、この内部孔４３の一部を構成している。
【００４８】
また、電極用端子や給電用端子２５を収容する内部孔４３には、電気絶縁性を有する絶縁筒４５が配置されている。
＜吸着用電極＞
吸着用電極１１は、例えば平面形状が円形の電極から構成されている。この吸着用電極１１とは、静電チャック１を使用する場合には、直流高電圧が印加され、これにより、半導体ウェハ３を吸着する静電引力（吸着力）を発生させ、この吸着力を用いて半導体ウェハ３を吸着して固定するものである。
【００４９】
なお、吸着用電極１１については、これ以外に、周知の各種の構成（単極性や双極性の電極など）を採用できる。なお、吸着用電極１１は、例えばタングステン等の導電材料からなる。
［１−２．発熱層及び熱分散層の構成］
次に、本第１実施形態の要部である発熱層１３及び熱分散層１５の構成について説明する。
【００５０】
図３に示すように、セラミック基板１７（従ってセラミックヒータ５）には、平面視で、複数の加熱ゾーンＫＺが設定されており、各加熱ゾーンＫＺには、各加熱ゾーンＫＺの温度を独立して調節できるように、線状の発熱パターン４７によって構成された前記発熱層１３が１つずつ配置されている。
【００５１】
なお、加熱ゾーンＫＺの数は、例えば１００以上の範囲の例えば２００であるが、図３では、簡略化して示してある（即ち加熱ゾーンＫＺの数は少なく表示してある）。また、発熱層１３（従って発熱パターン４７）は、電圧が印加されて電流が流れると発熱する金属材料（タングステン等）からなる抵抗発熱体である。
【００５２】
一方、熱分散層１５は、発熱層１３と同様な導電材料からなる。詳しくは、熱分散層１５は、セラミック基板１７を構成するセラミック材料（即ちアルミナ）より高い熱伝導率を有する材料（例えばタングステン）からなる。
【００５３】
＜発熱層及び熱分散層の平面形状＞
図４（ａ）に示すように、加熱ゾーンＫＺには、平面視で、加熱ゾーンＫＺの外周より所定距離だけ離れた内側に、蛇行する形状の発熱パターン４７からなる発熱層１３が形成されている。なお、線状の発熱パターン４７の両端には、円形の端部１３ａ、１３ｂが形成されている。
【００５４】
また、図４（ｂ）に示すように、熱分散層１５は、平面視で、その外周が矩形状であり、加熱ゾーンＫＺの外周より所定距離だけ離れた内側に設けられている。
この熱分散層１５は、円形のパッド部１５ａと、パッド部１５ａより面積が広く且つパッド部１５ａとの間に帯状の間隔をあけて、パッド部１５ａの全周を囲む主熱分散部１５ｂとから構成されている。
【００５５】
なお、パッド部１５ａと主熱分散部１５ｂとの間の間隔が大きくなると、加熱ゾーンＫＺ内にて熱を分散させて均熱化することが難しくなる。そのため、パッド部１５ａと主熱分散部１５ｂとの間の絶縁はとりつつ、熱の分散を妨げない程度の間隔とする必要がある。また、パッド部１５ａの面積が大きくなると、主熱分散部１５ｂの均熱性および熱分散性の効果が減ってしまうため、できるだけパッド部１５ａの面積は小さくすることが好ましい。
【００５６】
さらに、図４（ｃ）に示すように、熱分散層１５（詳しくは主熱分散部１５ｂ）は、平面視で、発熱層１３の最も外側部分を含むように、発熱層１３と重なる位置に配置されている。つまり、加熱ゾーンＫＺの外周より所定距離だけ離れた内側にて、熱分散層１５の外周よりも内側に発熱パターン４７が配置されている。
【００５７】
また、熱分散層１５は、平面視で、蛇行するように形成された発熱パターン４７のうち、隣り合って配置されている発熱パターン４７の間の領域にも配置されている。つまり、熱分散層１５は、隣り合う発熱パターン４７の間に入り込むように形成されている。
【００５８】
＜発熱層及び熱分散層の立体配置＞
図５（ａ）に示すように、発熱層１３（従って発熱パターン４７）は、セラミック基板１７の平面方向（同図左右方向）に沿って配置されており、熱分散層１５は、発熱層１３より第２の主面Ｓ２側にて、平面方向に配置されている。
【００５９】
詳しくは、発熱層１３と熱分散層１５との間の第１距離ｔ１は、熱分散層１５と第２の主面Ｓ２（即ち裏面）との間の第２距離ｔ２よりも短いように設定されている（即ちｔ１＜ｔ２）。
【００６０】
また、図５（ｂ）に示すように、パッド部１５ａと発熱層１３とを電気的に接続する第１ビア２９と、発熱層１３と主熱分散部１５ｂと電気的に接続する第２ビア３１と、を備えており、発熱層１３に給電するための一対の端子部４０は、それぞれパッド部１５ａ及び主熱分散部１５ｂと電気的に接続されている。
【００６１】
つまり、発熱パターン４７の端部１３ａは、第１ビア２９、パッド部１５ａ、第３ビア３３等を介して、一方の端子部４０に接続されており、発熱パターン４７の他方の端部１３ｂは、第２ビア３１、主熱分散部１５ｂ、第４ビア３５等を介して、他方の端子部４０に接続されている。
［１−３．製造方法］
次に、本第１実施形態の静電チャック１の製造方法について、簡単に説明する。
【００６２】
(1)セラミック基板１７の原料として、主成分であるＡｌ２Ｏ３：９２重量％、ＭｇＯ：１重量％、ＣａＯ：１重量％、ＳｉＯ２：６重量％の各粉末を混合して、ボールミルで、５０〜８０時間湿式粉砕した後、脱水乾燥する。
【００６３】
(2)次に、この粉末に溶剤等を加え、ボールミルで混合して、スラリーとする。
(3)次に、このスラリーを、減圧脱泡後平板状に流し出して徐冷し、溶剤を発散させて、各セラミック層２３となる各アルミナグリーンシートを形成する。
【００６４】
そして、各アルミナグリーンシートに対して、リフトピン孔２１等となる空間、各ビアとなるスルーホールを、必要箇所に開ける。
(4)また、前記アルミナグリーンシート用の原料粉末中にタングステン粉末を混ぜて、スラリー状にして、メタライズインクとする。
【００６５】
(5)そして、吸着用電極１１、発熱層１３、熱分散層１５、端子部４０等を形成するために、前記メタライズインクを用いて、アルミナグリーンシート上の、吸着用電極１１、発熱層１３、熱分散層１５、端子部４０等の形成箇所に対応した箇所に、通常のスクリーン印刷法により、各未焼成パターンを印刷する。なお、各ビアを形成するために、スルーホールに対して、メタライズインクを充填する。
【００６６】
(6)次に、各アルミナグリーンシートを、リフトピン孔２１等の必要な空間が形成されるように位置合わせして、熱圧着し、積層シートを形成する。
(7)次に、熱圧着した各積層シートを、それぞれ所定の形状（即ち円板形状）にカットする。
【００６７】
(8)次に、カットした各積層シートを、還元雰囲気にて、１４００〜１６００℃の範囲（例えば、１５５０℃）にて５時間焼成（本焼成）し、各アルミナ質焼結体を作製する。
(9)そして、焼成後に、各アルミナ焼結体に対して、例えば第１の主面Ｓ１側の加工など必要な加工を行って、セラミック基板１７を作製する。
【００６８】
(10)次に、セラミック基板１７の第２の主面Ｓ２上の端子部４０に、端子金具（図示せず）をろう付けする。
(11)これとは別に、金属ベース７を製造する。具体的には、金属板に対して切削加工等を行うことにより金属ベース７を形成する。
【００６９】
(12)次に、金属ベース７とセラミック基板１７とを接合して一体化する。
(13)次に、給電用端子２５等を配置して、静電チャック１を完成する。
［１−４．効果］
次に、本第１実施形態の効果について説明する。
【００７０】
（１）本第１実施形態のセラミックヒータ５では、発熱層１３と裏面（即ち第２の主面Ｓ２）との間に、セラミック材料より高い熱伝導率を有する（即ち熱が伝わり易い）熱分散層１５が発熱層１３毎に配置されているので、各発熱層１３が配置された各加熱ゾーンＫＺにおける温度を容易に均一化することができる。
【００７１】
しかも、本第１実施形態では、平面視で、発熱層１３の線状で屈曲する発熱パターン４７は、各熱分散層１５の外周よりも内側に配置されているので、目標温度が異なる他の加熱ゾーンＫＺとの温度差を十分に確保することができる。即ち、各加熱ゾーンＫＺ間の温度を分離（即ちセパレート）することができる。
【００７２】
このように、本第１実施形態では、加熱ゾーンＫＺ内の温度を均一化できるとともに、他の加熱ゾーンＫＺとの温度差を十分に確保することができるという顕著な効果を奏する。
【００７３】
なお、発熱層１３と裏面との間に熱分散層１５を配置することにより、熱分散層１５を配線部２７（例えば一対の端子部４０から発熱層１３に到る電力の供給経路：例えば内部配線層３９）の一部として流用できる。そのため、セラミック基板１７の厚み方向において、例えば内部配線層３９と別に新たに熱分散層１５を配置するスペースを必要としないため、セラミック基板１７を厚くせずに熱分散層１５を配置できる。
【００７４】
さらに、本第１実施形態では、発熱層１３と金属ベース７との間、つまり、熱のやりとりが多い位置に、熱分散層１５を配置することにより、均熱性および熱分散性の効果がより得やすくなるという利点がある。
【００７５】
（２）本第１実施形態では、平面視で、各発熱層１３において、発熱パターン４７のうち隣り合って配置されている線状の発熱パターン４７の間の領域にも、熱分散層１５が配置されている。
【００７６】
つまり、同じ発熱層１３の発熱パターン４７において、隣り合う発熱パターン４７の間に熱分散層１５が配置されているので、一層各加熱ゾーンＫＺにおける温度を均一化できる。
【００７７】
（３）本第１実施形態では、発熱層１３と熱分散層１５との間の第１距離ｔ１は、熱分散層１５と裏面との間の第２距離ｔ２よりも短い。
つまり、熱分散層１５は、裏面よりも発熱層１３に近い位置に配置されているので、一層、各加熱ゾーンＫＺにおける均熱性が向上するとともに、各加熱ゾーンＫＺ間の温度を分離することができる。
【００７８】
（４）本第１実施形態では、一対の端子部４０から、第１ビア２９及びパッド部１５ａと、第２ビア３１及び主熱分散部１５ｂとを介して、発熱層１３（詳しくは発熱パターン４７）に電力を供給することによって、加熱ゾーンＫＺを加熱することができる。
【００７９】
つまり、このような簡易な給電のために構成（特に給電の経路が短い構成）によって、発熱層１３（詳しくは発熱パターン４７）に容易に電力を供給するができる。
また、パッド部１５ａを囲むように、面積の大きな主熱分散部１５ｂが配置されているので、加熱ゾーンＫＺにおける均熱性を高めることができるという利点がある。
［１−５．文言の対応関係］
本第１実施形態の、セラミックヒータ５、発熱層１３、熱分散層１５、パッド部１５ａ、主熱分散部１５ｂ、セラミック基板１７、端子部４０は、それぞれ、本発明の、セラミックヒータ、発熱層、熱分散層、パッド部、主熱分散部、セラミック基板、端子部の一例に相当する。
［２．第２実施形態］
次に、第２実施形態について説明するが、第１実施形態と同様な内容については、説明を省略又は簡略化する。なお、第１実施形態と同様な構成には、同様な番号を付す。
【００８０】
本第２実施形態は、熱分散層に２つのパッド部を備えたものである。
本第２実施形態では、図６（ａ）、（ｂ）に示すように、熱分散層５１は、平面視で、一対の円形のパッド部５１ａ、５１ｂと、各パッド部５１ａ、５１ｂより面積が広く且つ各パッド部５１ａ、５１ｂとの間に帯状の間隔をあけて、各パッド部５１ａ、５１ｂの全周を囲む主熱分散部５１ｃと、を備えている。
【００８１】
また、図６（ｃ）に示すように、発熱層１３（従って発熱パターン４７）は、一対のパッド部５１ａ、５１ｂと電気的に接続されており、発熱層１３に給電するための一対の端子部４０が、それぞれ一対のパッド部５１ａ、５１ｂに電気的に接続されている。
【００８２】
つまり、発熱パターン４７の端部１３ａは、第１ビア２９、一方のパッド部５１ａ、第３ビア３３等を介して、一方の端子部４０に接続されており、発熱パターン４７の他方の端部１３ｂは、第２ビア３１、他方のパッド部５１ｂ、第４ビア３５等を介して、他方の端子部４０に接続されている。
【００８３】
本第２実施形態も第１実施形態と同様な効果を奏する。
［３．第３実施形態］
次に、第３実施形態について説明するが、第１実施形態と同様な内容については、説明を省略又は簡略化する。なお、第１実施形態と同様な構成には、同様な番号を付す。
【００８４】
本第３実施形態は、熱分散層にパッド部がないものである。
本第３実施形態では、図７に示すように、熱分散層６１は、平面視で、矩形状であり、その熱分散層６１内に、発熱層１３（従って発熱パターン４７）が配置されている。
【００８５】
つまり、熱分散層６１の外周と発熱層１３の上下左右の外周とが一致するように配置されている。
なお、図７には、発熱層１３に給電するための構成は記載されていていないが、例えば熱分散層を回避するようにして、一対の端部１３ａ、１３ｂと接続するビアや内部配線層を形成すればよい。
【００８６】
本第３実施形態も第１実施形態と同様な効果を奏する。
［４．実験例］
次に、本発明の各構成による効果を確認するために行った実験例１〜４について説明する。
【００８７】
以下の実験例１〜４は、コンピュータシミュレーションによって、発熱層を発熱させた場合において、セラミック基板の熱の状態（即ち温度分布）を調べたものである。
＜実験例１＞
本実験例１は、各加熱ゾーンにおける均熱性を調べたものである。
【００８８】
本実験例１では、実験に用いるセラミックヒータのモデルとして、図８（ａ）に示すように、３つの同形状の加熱ゾーン（セグメント）が左右方向に連続して配置されるとともに、１つの加熱ゾーン内において、１本の蛇行する発熱パターンを備えた基準モデルを設定した。なお、この基準モデルには熱分散層は設定されていない。
【００８９】
詳しくは、各加熱ゾーンにおいて、同図の上下方向に延びるとともに、左右方向において等間隔に１０本並列に配置されたラインを備えたモデルを設定した。なお、発熱パターンのうち上下方向に延びる部分をラインと称する。
【００９０】
そして、この基準モデルにおいて、左右方向に配列されたラインのうち、左のラインから順番に、「Ｈ−Ｃ−Ｃ−Ｈ−Ｈ−Ｃ−Ｃ・・」のように、発熱状態を調節した。なお、Ｈが発熱を示し、Ｃが非発熱を示している。つまり、隣り合う２本のライン同士を１組として、左右方向において（但し、左端は１本のみが発熱とし）、「２本が非発熱−２本が発熱−２本が非発熱・・」のように順次設定した。
【００９１】
詳しくは、このような発熱状態として、基準モデルにおいて、１つの加熱ゾーン内で温度差（セグメント内温度差）が１．５０℃以上となるように、発熱量を調整した。即ち、発熱する各ラインの温度を調節した。
【００９２】
その状態を図８（ｂ）の上図に示すが、発熱部分と非発熱部分とが明瞭に分かれており、均熱性が十分でないことが分かる。なお、図８（ｂ）の上図では、ハッチングの種類（模様）によって、温度の高低を示している。つまり、図８（ｂ）の下図の６個のブロックの模様によって温度の高低を示し、同図の右側にゆくほど温度が高いことを示している。なお、この模様の示す温度については、他の発熱状態を示す図面も同様である。
【００９３】
なお、図８（ｂ）に示す発熱状態となるような各ラインの発熱状態を、発熱試験条件１とした。
次に、上述した基準モデルにおいて、さらに、図９（ａ）に示すように、各加熱ゾーンの各発熱パターンに重なるように、矩形状の各熱分散層（即ち３つの熱分散層：図９（ａ）灰色部分）を配置した本発明例Ａのモデルを設定した。なお、本発明例Ａとは第３実施形態に対応したモデルである。
【００９４】
そして、前記基準モデルにおける発熱試験条件１にて、本発明例Ａのモデルを加熱した。その結果を図９（ｂ）に示すが、セグメント内温度差は１．１６℃以下であり、各加熱ゾーンにおける均熱性が優れていることが分かる。
【００９５】
次に、上述した基準モデルにおいて、さらに、図９（ｃ）に示すように、加熱ゾーン間を含み、かつ、全ての加熱ゾーンの全ての発熱パターンに重なるように、矩形状の１つの熱分散層（図９（ｃ）の灰色部分参照）を配置した比較例１のモデルを設定した。
【００９６】
そして、前記基準モデルにおける発熱試験条件１にて、比較例１のモデルを加熱した。その結果を図９（ｄ）に示すが、セグメント内温度差は１．１３℃以下であり、均熱性について優れていることが分かる（なお、後述する熱の分離性は劣っている）。
【００９７】
次に、上述した基準モデルにおいて、さらに、図９（ｅ）に示すように、各加熱ゾーンの各発熱パターンに対して、それぞれ矩形状の２つの熱分散層（合計で６つの熱分散層：図９（ｅ）の灰色部分）を配置した比較例２のモデルを設定した。
【００９８】
そして、前記基準モデルにおける発熱試験条件１にて、比較例２のモデルを加熱した。その結果を図９（ｆ）に示すが、セグメント内温度差は１．４１℃であり、本発明例Ａより劣っていることが分かる。
【００９９】
この実験例１の結果を、図１０にまとめて示す。この図１０から明らかなように、均熱性については、本発明例Ａは、基準モデル及び比較例２に対して優れていることが分かる。
【０１００】
＜実験例２＞
本実験例２は、各加熱ゾーン間における熱の分離性を調べたものである。
本実験例２の基準モデルは、図１１（ａ）に示すように、実験例１と同様である。
【０１０１】
そして、この基準モデルにおいて、３箇所の加熱ゾーンのうち、左右の加熱ゾーンの発熱パターンを全て発熱させるとともに、中央の加熱ゾーンの発熱パターンを全て発熱させないようにした。
【０１０２】
詳しくは、基準モデルにおいて、発熱した加熱ゾーンと発熱しない加熱ゾーンとの温度差（セグメント間温度差）が２．０℃以上（詳しくは２．１９℃）となるように、発熱量を調整した。その状態を図１１（ｂ）に示す。なお、図１１（ｂ）に示す発熱状態となるような発熱パターンの発熱状態を、発熱試験条件２とした。
【０１０３】
次に、上述した基準モデルにおいて、さらに、図１２（ａ）に示すように、各加熱ゾーンの各発熱パターンに重なるように、矩形状に各熱分散層（即ち３つの熱分散層：図１２（ａ）の灰色部分）を配置した本発明例Ａのモデルを設定した。
【０１０４】
そして、前記基準モデルにおける発熱試験条件２にて、本発明例Ａのモデルを加熱した。その結果を図１２（ｂ）に示すが、セグメント間温度差は２．１１℃であり、各加熱ゾーン間における熱の分離性が優れていることが分かる。
【０１０５】
次に、上述した基準モデルにおいて、さらに、図１２（ｃ）に示すように、加熱ゾーン間を含み、かつ、全ての加熱ゾーンの全ての発熱パターンに重なるように、矩形状に１つの熱分散層（図１２（ｃ）の灰色部分参照）を配置した比較例１のモデルを設定した。
【０１０６】
そして、前記基準モデルにおける発熱試験条件２にて、比較例１のモデルを加熱した。その結果を図１２（ｄ）に示すが、セグメント間温度差は１．６０℃であり、本発明例Ａに比べて熱の分離性が低いことが分かる。
【０１０７】
次に、上述した基準モデルにおいて、さらに、図１２（ｅ）に示すように、各加熱ゾーンの各発熱パターンに対して、それぞれ矩形状の２つの熱分散層（即ち３つの熱分散層：図１２（ｅ）の灰色部分）を配置した比較例２のモデルを設定した。
【０１０８】
そして、前記基準モデルにおける発熱試験条件２にて、比較例２のモデルを加熱した。その結果は、前記図１２（ｂ）と同様であり、熱の分離性については優れていた（なお、上述のように、本発明例Ａに比べて均熱性は劣っている）。
【０１０９】
この実験例２の結果を、図１３にまとめて示す。この図１３から明らかなように、熱の分離性については、本発明例Ａは、基準モデル及び比較例１に対して優れていることが分かる。
【０１１０】
なお、図１３の温度集計範囲の両端を示す一点鎖線は、各セグメントにおける一点鎖線の位置で温度を測定したことを示している。
＜実験例３＞
本実験例３は、熱分散層の厚み方向の位置における均熱性及び熱の分離性を調べたものである。
【０１１１】
図１４（ａ）に示すように、本発明例Ｂ（なお、発熱層や熱分散層の平面形状は第３実施形態に対応したモデル）として、発熱層と裏面との間に熱分散層を配置するとともに、第１距離ｔ１を０．３５６ｍｍとし、第２距離ｔ２を０．８４４ｍｍとした。即ち、ｔ１＜ｔ２とした。
【０１１２】
なお、セラミック基板の厚みは２．４ｍｍとし、表面から発熱層までの距離は１．２ｍｍとした。
本発明例Ｂでは、実験例１の前記図８（ａ）に示すように、３箇所の加熱ゾーンを設定するとともに、同様に発熱パターンを設定した。なお、図１４（ａ）では、２つの加熱ゾーンのみを示している。
【０１１３】
そして、前記発熱試験条件１にて、本発明例Ｂのモデルを加熱した。その結果を図１４（ｂ）に示すが、セグメント内温度差は１．１６℃以下であり、各加熱ゾーン内における均熱性が優れていることが分かる。
【０１１４】
また、前記発熱試験条件２にて、本発明例Ｂのモデルを加熱した。その結果を図１４（ｃ）に示すが、セグメント間温度差は２．１１℃であり、各加熱ゾーン間における熱の分離性が優れていることが分かる。
【０１１５】
一方、図１５（ａ）に示すように、本発明例Ｃ（なお、発熱層や熱分散層の平面形状は本発明例Ｂと同様）として、発熱層と裏面との間に熱分散層を配置するとともに、第１距離ｔ１を０．８００ｍｍとし、第２距離ｔ２を０．４００ｍｍとした。即ち、ｔ１＞ｔ２とした。
【０１１６】
この本発明例Ｃでも、実験例１の前記図８（ａ）に示すように、３箇所の加熱ゾーンを設定するとともに、同様に発熱パターンを設定した。なお、図１５（ａ）では、２つの加熱ゾーンのみを示している。
【０１１７】
そして、前記発熱試験条件１にて、本発明例Ｃのモデルを加熱した。その結果を図１５（ｂ）に示すが、セグメント内温度差は１．４０℃以下であり、本発明例Ｂに比べて各加熱ゾーン内における均熱性がやや劣っているものの、均熱性が高いことが分かる。
【０１１８】
また、前記発熱試験条件２にて、本発明例Ｃのモデルを加熱した。その結果を図１５（ｃ）に示すが、セグメント間温度差は２．１４℃であり、各加熱ゾーン間における熱の分離性は優れていることが分かる。
【０１１９】
この実験例３の結果を、図１６（ａ）及び図１６（ｂ）にまとめて示す。この図１６から明らかなように、本発明例Ｂは、均熱性及び熱の分離性の両方が優れていることが分かる。なお、本発明例Ｃは、本発明例Ｂに比べて、均熱性がやや劣っている。
【０１２０】
＜実験例４＞
図１７（ａ）に、本発明例Ｄに対応した第１実施形態における発熱層と熱分散層との重ね合わせの状態を示す。
【０１２１】
なお、実験例４に用いる本発明例Ｄのモデルは、前記図９（ａ）に示すようなモデル（本発明例Ａ）において、二重の円（図１７（ｂ）参照）に挟まれた帯状の領域には、熱分散層が無いとしたものである（即ち第１実施形態に対応したものである）。
【０１２２】
そして、前記発熱試験条件１にて、本発明例Ｄのモデルを加熱した。その結果を図１７（ｂ）に示すが、セグメント内温度差は１．２６℃以下であり、各加熱ゾーン内における均熱性が優れていることが分かる。
【０１２３】
図１８（ａ）に、比較例３における発熱層と熱分散層との重ね合わせの状態を示す。この比較例３では、発熱層の一部（即ち各加熱ゾーンにおける同図の左角の部分）は熱分散層が重ね合されていない。
【０１２４】
なお、実験例４に用いる比較例３のモデルは、前記図９（ａ）に示すようなモデル（本発明例Ａ）において、図１８（ａ）の形状に対応するように、矩形の熱分散層の左下が切り欠かれてＬ字状に凹んでおり、その部分には、熱分散層が無いものである。但し、図１８（ｂ）凹んだ部分にある円内には熱分散層があるとした。
【０１２５】
そして、前記発熱試験条件１にて、比較例３のモデルを加熱した。その結果を図１８（ｂ）に示すが、セグメント内温度差は１．４４℃以上であり、各加熱ゾーン内における均熱性は、本発明例Ａ、Ｄに比べて劣っていることが分かる。
【０１２６】
この実験例４の結果を、図１９にまとめて示す。なお、図１９には、上述した本発明例Ａの発熱試験条件１における温度分布の状態も合わせて示す。
この図１９からも明らかなように、本発明例Ａ、Ｄは、比較例３に比べて均熱性が優れていることが分かる。
【０１２７】
＜実験例のまとめ＞
図２０に、実験例１〜４の結果をまとめて示す。なお、図２０では、発熱層や熱分散層の配置による特徴が分かり易いように、各実験に使用した各モデルの形状ではなく、各モデルに対応した各実施形態等の実際の発熱層や熱分散層の形状を示している。均熱性に関しては、実験例１〜４のセグメント内温度差のうち、一番大きい温度差の結果を示した。
【０１２８】
なお、図２０の「×」は、性能が低いことを示し、「△」は「×」より性能が高いことを示し、「○」は「△」より性能が高いことを示している。
図２０の実験例１、２から明らかなように、本発明例Ａ（第３実施形態に対応した構成）は、均熱性及び熱の分離性に優れていることが分かる。それに対して、本発明ではない、基準モデル、比較例１、２では、均熱性及び熱の分離性のいずれかが、本発明例Ａより劣っている。
【０１２９】
図２０の実験例３から明らかなように、本発明例Ｂ（第３実施形態に対応した構成）は、均熱性及び熱の分離性に優れていることが分かる。また、本発明例Ｃは、熱の分離性に優れていることが分かる。なお、本発明例Ｃの均熱性については、比較例２の均熱性より優れている。
【０１３０】
図２０の実験例４から明らかなように、本発明例Ｄ（第１実施形態に対応した構成）は、均熱性及び熱の分離性に優れていることが分かる。それに対して、本発明ではない、比較例３では、均熱性が、本発明例Ｄより劣っている。
［５．他の実施形態］
本発明は前記実施形態になんら限定されるものではなく、本発明を逸脱しない範囲において種々の態様で実施しうることはいうまでもない。
【０１３１】
（１）熱分散層の外周形状としては、矩形状、円形形状など、発熱層の外周に沿った形状を採用できる。
（２）熱分散層は、発熱層と裏面との間の中央より発熱層側にあることが望ましいが、発熱層と裏面との中央や、中央より裏側に近い位置にあってもよい。
【０１３２】
（３）前記実施形態において、平面視で、発熱層は、各熱分散層の外周よりも所定距離だけ離れた内側に各発熱パターンが配置されていたが、各発熱パターンの外周と対応する各熱分散層の外周とが平面視で重なっていてもよい。また、熱の分離性の効果が得られる範囲であれば、平面視で、各熱分散層の外周よりも所定距離だけ離れた外側に各発熱パターンを配置してもよい。
【０１３３】
（４）熱分散層は、平面視で、隣り合って配置されている発熱パターンの間の領域にも配置されていることが望ましいが、図２１に示すように、熱分散層（従ってその外周）が、隣り合う発熱パターンの間に入り込むように形成されていてもよい。
【０１３４】
（５）また、セラミックヒータとしては、静電チャックに限らず、真空チャックなど他の用途に用いることができる。
（６）さらに、本発明は、金属ベースを備えない静電チャックにも適用できる。つまり、セラミックヒータに、吸着用電極や複数の発熱層を備えた静電チャックにも適用できる。
【０１３５】
（７）また、本発明は、静電チャックなどではないセラミックヒータ単体にも適用できる。例えば、セラミック基板内に、前記各実施形態と同様な複数の発熱層を備えたセラミックヒータに適用できる。
【０１３６】
（８）なお、前記実施形態における１つの構成要素が有する機能を複数の構成要素に分担させたり、複数の構成要素が有する機能を１つの構成要素に発揮させたりしてもよい。また、前記実施形態の構成の一部を、省略してもよい。また、前記実施形態の構成の少なくとも一部を、他の実施形態の構成に対して付加、置換等してもよい。なお、特許請求の範囲に記載の文言から特定される技術思想に含まれるあらゆる態様が本発明の実施形態である。
【符号の説明】
【０１３７】
１…静電チャック
５…セラミックヒータ
１３…発熱層
１５、５１、６１…熱分散層
１５ａ、５１ａ、５１ｂ…パッド部
１５ｂ、５１ｃ…主熱分散部
１７…セラミック基板
４０…端子部
【図１】
2018142488.tif 000003
【図２】
2018142488.tif 000004
【図３】
2018142488.tif 000005
【図４】
2018142488.tif 000006
【図５】
2018142488.tif 000007
【図６】
2018142488.tif 000008
【図７】
2018142488.tif 000009
【図８】
2018142488.tif 000010
【図９】
2018142488.tif 000011
【図１０】
2018142488.tif 000012
【図１１】
2018142488.tif 000013
【図１２】
2018142488.tif 000014
【図１３】
2018142488.tif 000015
【図１４】
2018142488.tif 000016
【図１５】
2018142488.tif 000017
【図１６】
2018142488.tif 000018
【図１７】
2018142488.tif 000019
【図１８】
2018142488.tif 000020
【図１９】
2018142488.tif 000021
【図２０】
2018142488.tif 000022
【図２１】
2018142488.tif 000023
【図２２】
2018142488.tif 000024